(57)【要約】【課題】特に冷凍飲料等の効果的な陳列と、ストック商品の凍結収納等を効率的に実現することができる商品陳列装置及びそれを設置した冷凍ショーケースを提供する。【解決手段】本発明の商品陳列装置２０は、上部に構成され、商品Ｐを横に寝かせた状態で陳列するための商品陳列棚２１と、この商品陳列棚２１の下側において、商品Ｐを起立した状態で収納可能な収納空間２９を内部に構成する支持枠２５とから成り、商品陳列棚２１は、支持枠２５の上面開口２６Ａを開閉自在に閉塞する。【選択図】図１
2010266152.tif 000002
【特許請求の範囲】
【請求項１】
上部に構成され、商品を横に寝かせた状態で陳列するための商品陳列棚と、
該商品陳列棚の下側において、前記商品を起立した状態で収納可能な収納空間を内部に構成する支持枠とから成り、
前記商品陳列棚は、前記支持枠の上面開口を開閉自在に閉塞することを特徴とする商品陳列装置。
【請求項２】
前記商品陳列棚には、前記商品が起立した状態で通過可能な商品取出部が形成されていることを特徴とする請求項１に記載の商品陳列装置。
【請求項３】
前記商品陳列棚は、並設された第1及び第２の陳列棚部と、各陳列棚部を回動自在に連結する回動軸とを備え、前記陳列棚部の非連結側を持ち上げて回動させることで、当該陳列棚部は、前記支持枠の上面開口を開放することを特徴とする請求項１又は請求項２に記載の商品陳列装置。
【請求項４】
前記各陳列棚部には、前記商品を所定角度で傾斜した状態に保持するための商品保持部がそれぞれ立設されており、各商品保持部は、前記回動軸を挟んで相互にずれた位置に設けられていることを特徴とする請求項３に記載の商品陳列装置。
【請求項５】
前記各陳列棚部には、前記商品を所定角度で傾斜した状態に保持するための商品保持部がそれぞれ立設されており、各商品保持部は、前記回動軸側が低く形成されていることを特徴とする請求項３又は請求項４に記載の商品陳列装置。
【請求項６】
上部に構成され、商品を横に寝かせた状態で陳列するための商品陳列棚と、
該商品陳列棚の下側において、前記商品を起立した状態で収納可能な収納空間を内部に構成する支持枠とから成り、
前記商品陳列棚には、前記商品が起立した状態で通過可能な商品取出部が形成されていることを特徴とする商品陳列装置。
【請求項７】
前記商品陳列棚には、前記商品を所定角度で傾斜した状態に保持するための商品保持部が立設されていることを特徴とする請求項１、請求項２、又は、請求項６の何れかに記載の商品陳列装置。
【請求項８】
前記商品保持部の上縁には、湾曲した凹陥部が形成されていることを特徴とする請求項４、請求項５、又は、請求項７の何れかに記載の商品陳列装置。
【請求項９】
前記商品陳列棚は、前記支持枠に着脱自在に取り付けられていることを特徴とする請求項１乃至請求項８の何れかに記載の商品陳列装置。
【請求項１０】
前記支持枠内に構成される前記収納空間の高さは、２０８ｍｍ以上２３０ｍｍ以下の寸法とされていることを特徴とする請求項１乃至請求項９の何れかに記載の商品陳列装置。
【請求項１１】
少なくとも上面に商品取出用の開口を有する貯蔵室を備え、請求項１乃至請求項１０の何れかに記載の商品陳列装置を前記貯蔵室内に設置したことを特徴とする冷凍ショーケース。
【発明の詳細な説明】
【技術分野】
【０００１】
本発明は、所謂平型のショーケースにおいて陳列に供される商品と、ストック商品とを陳列・収納可能とする商品陳列装置及びそれを設置した冷凍ショーケースに関する。
【背景技術】
【０００２】
従来よりペットボトル入りの飲料は、庫内を冷蔵温度に冷却したショーケースにて陳列販売されている。ペットボトル入りの飲料は、一般に側面にラベルが設けられていることから、前面に開口した所謂縦型のショーケースにおいて複数段架設される商品陳列棚に並置される。
【０００３】
昨今では、冷蔵温度よりも低い冷凍温度領域にてペットボトル入りの飲料を冷却し、冷凍飲料としての販売が行われている。この場合、飲料を凍結させるまでには長時間を要することから、飲料の凍結は、バックヤードなどに設置される冷却貯蔵庫において行い、販売に供される状態となった飲料を商品として陳列用のショーケースに陳列していた。
【０００４】
一方、従来より冷凍食品等の陳列・冷却収納には、上面に開口を有する平型の冷凍ショーケース（貯蔵庫）が用いられている。この場合、商品の納出作業性を考慮し、貯蔵室内に通風性を有するバスケットを複数収納し、当該バスケットに商品を収納陳列する（例えば、特許文献１参照）。
【０００５】
そして、このバスケットは、貯蔵室内に例えば上下に２段に配設可能とし、下側のバスケットには、ストック商品を収納し、上側のバスケットには、販売に供される商品を収納陳列していた。
【先行技術文献】
【特許文献】
【０００６】
【特許文献１】特開平７−２４３７５５号公報
【発明の概要】
【発明が解決しようとする課題】
【０００７】
しかしながら、上述した如きバスケットを備えた冷凍ショーケースを冷凍したペットボトル入りの飲料の陳列に使用した場合、バスケット内にペットボトル入りの飲料を横に寝かせて冷凍すると、容器内の飲料が開封口に接触した状態で凍結することとなり、開封し難くなるなど不都合が生じる。他方、ペットボトル入りの飲料は、冷凍食品などと異なり、側面にラベル等が設けられていることから、起立した状態でバスケット内に収納すると、ラベル等を上方から視認することができず、陳列効果が著しく低減されるという問題がある。
【０００８】
また、ペットボトル入りの飲料は、当該冷凍ショーケースにおいて凍結するまでに長時間を要することからストック商品として、下側のバスケット内に収納し、凍結された状態の商品を上側のバスケット内に陳列することが考えられるが、上側のバスケット内の商品が取り出され、商品補充を行う際には、少量の商品補充であっても、上側のバスケットを全て撤去し、下側のバスケットを露出させた状態で商品補充を行うこととなる。
【０００９】
この場合、バスケットには、商品が平積みされていくことから、先に収納した商品を後に収納した商品よりも先に販売に供されるように陳列するためには、バスケット内に収納された商品を全て出さなければならず、商品補充作業が著しく煩雑となる問題がある。そのため、効率的な凍結収納・陳列販売を実現することが困難となる問題があった。
【００１０】
本発明は、従来の技術的課題を解決するためになされたものであり、特に冷凍飲料等の効果的な陳列と、ストック商品の凍結収納等を効率的に実現することができる商品陳列装置及びそれを設置した冷凍ショーケースを提供する。
【課題を解決するための手段】
【００１１】
上記課題を解決するために、本発明の商品陳列装置は、上部に構成され、商品を横に寝かせた状態で陳列するための商品陳列棚と、この商品陳列棚の下側において、商品を起立した状態で収納可能な収納空間を内部に構成する支持枠とから成り、商品陳列棚は、支持枠の上面開口を開閉自在に閉塞することを特徴とする。
【００１２】
請求項２の発明は、上記において、商品陳列棚には、商品が起立した状態で通過可能な商品取出部が形成されていることを特徴とする。
【００１３】
請求項３の発明は、上記各発明において、商品陳列棚は、並設された第１及び第２の陳列棚部と、各陳列棚部を回動自在に連結する回動軸とを備え、陳列棚部の非連結側を持ち上げて回動させることで、当該陳列棚部は、支持枠の上面開口を開放することを特徴とする。
【００１４】
請求項４の発明は、上記発明において、各陳列棚部には、商品を所定角度で傾斜した状態に保持するための商品保持部がそれぞれ立設されており、各商品保持部は、回動軸を挟んで相互にずれた位置に設けられていることを特徴とする。
【００１５】
請求項５の発明は、上記請求項３又は請求項４の発明において、各陳列棚部には、商品を所定角度で傾斜した状態に保持するための商品保持部がそれぞれ立設されており、各商品保持部は、回動軸側が低く形成されていることを特徴とする。
【００１６】
請求項６の発明の商品陳列装置は、上部に構成され、商品を横に寝かせた状態で陳列するための商品陳列棚と、この商品陳列棚の下側において、商品を起立した状態で収納可能な収納空間を内部に構成する支持枠とから成り、商品陳列棚には、商品が起立した状態で通過可能な商品取出部が形成されていることを特徴とする。
【００１７】
請求項７の発明は、上記請求項１、請求項２又は請求項６の発明において、商品陳列棚には、商品を所定角度で傾斜した状態に保持するための商品保持部が立設されていることを特徴とする。
【００１８】
請求項８の発明は、上記請求項４、請求項５又は請求項７の発明において、商品保持部の上縁には、湾曲した凹陥部が形成されていることを特徴とする。
【００１９】
請求項９の発明は、上記各発明において、商品陳列棚は、支持枠に着脱自在に取り付けられていることを特徴とする。
【００２０】
請求項１０の発明は、上記各発明において、支持枠内に構成される収納空間の高さは、２０８ｍｍ以上２３０ｍｍ以下の寸法とされていることを特徴とする。
【００２１】
請求項１１の発明の冷凍ショーケースは、少なくとも上面に商品取出用の開口を有する貯蔵室を備え、上記各発明の商品陳列装置を貯蔵室内に設置したことを特徴とする。
【発明の効果】
【００２２】
本発明の商品陳列装置は、上部に構成され、商品を横に寝かせた状態で陳列するための商品陳列棚と、この商品陳列棚の下側において、商品を起立した状態で収納可能な収納空間を内部に構成する支持枠とから成り、商品陳列棚は、支持枠の上面開口を開閉自在に閉塞するので、商品陳列棚により支持枠の上面開口を開放して、当該上面開口を介してこの商品陳列棚の下側に形成される収納空間に、商品を起立した状態で収納することができる。そして、商品陳列棚によって支持枠の上面開口を閉塞して、当該商品陳列棚上に商品を陳列することができる。
【００２３】
これにより、ストック商品等は、収納空間に収納して、直ぐに販売等に供される商品を商品陳列棚上に陳列することができる。特に、商品陳列棚上には、商品を横に寝かせた状態で陳列するため、上方からの商品、例えば、側面等にラベル等が貼付されている商品の視認性を向上させることができる。これにより、陳列効果の向上を図ることができる。
【００２４】
そして、商品陳列棚上に陳列された商品が取り出された後は、商品陳列棚を開放して、支持枠の上面開口を開放することにより、収納空間に収納された商品を取り出して、商品陳列棚上に陳列することが可能となる。
【００２５】
特に、請求項１１の如く当該商品陳列装置が冷凍ショーケースの貯蔵室内に設けられた場合、直ぐに販売に供せる温度にまで冷却されていない商品を商品陳列装置の収納空間に収納し、直ぐに販売に供せる状態にまで冷却された商品を陳列棚上に陳列することができる。
【００２６】
これにより、適切な販売状態とされている商品を貯蔵室内の取りやすい位置に陳列しておくことによって、同一のショーケースにおいてストック商品を冷却しつつ、好適な販売形態を実現することが可能となる。
【００２７】
また、例えば飲料等の商品を冷却する場合、凍結前のストック商品は、商品陳列装置の収納空間に起立した状態で収納することにより、開封口部分を上部として凍結させることが可能となるため、開封部分が飲料により凍結し、開けにくくなる不都合等を回避することが可能となる。
【００２８】
請求項２の発明によれば、上記に加えて、商品陳列棚には、商品が起立した状態で通過可能な商品取出部が形成されているので、商品陳列棚を開放させることなくこの商品陳列棚の下側の収納空間に収納される商品を商品取出部を介して取り出すことが可能となる。
【００２９】
これにより、容易に収納空間から商品を取り出して、商品陳列棚への商品の補充作業を行うことが可能となる。
【００３０】
請求項３の発明によれば、上記各発明において、商品陳列棚は、並設された第１及び第２の陳列棚部と、各陳列棚部を回動自在に連結する回動軸とを備え、陳列棚部の非連結側を持ち上げて回動させることで、当該陳列棚部は、支持枠の上面開口を開放する際、各陳列棚部を当該商品陳列装置の寸法範囲内で開閉することが可能となる。
【００３１】
これにより、貯蔵室内の内壁面が当該商品陳列装置に近接している場合であっても、当該内壁面に干渉されることなく、各陳列棚部を開放することが可能となる。
【００３２】
また、請求項４の発明によれば、上記発明において、各陳列棚部には、商品を所定角度で傾斜した状態に保持するための商品保持部がそれぞれ立設されているので、各陳列棚部に横に寝せた状態で陳列される商品を各商品保持部によって適度な傾斜角度にて保持することができ、商品の視認性の向上を図ることができる。また、各商品が傾斜状態で保持されることから各陳列棚部上に陳列可能となる商品数を増大させることができ、より陳列効果の向上を図ることができる。
【００３３】
また、上記において、各商品保持部は、回動軸を挟んで相互にずれた位置に設けられているので、一方の陳列棚部を開放した際に、当該陳列棚部に立設される商品保持部が、他方の陳列棚部に設けられる商品保持部と干渉してしまう不都合を解消することができる。これにより、支障なく各陳列棚部の開放状態を維持することが可能となる。
【００３４】
請求項５の発明によれば、上記請求項３又は請求項４の発明において、各陳列棚部には、商品を所定角度で傾斜した状態に保持するための商品保持部がそれぞれ立設されており、各商品保持部は、回動軸側が低く形成されているので、少なくとも一方の陳列棚部の回動軸側に商品を陳列した状態で、他方の陳列棚部を開放した際に、一方の陳列棚部に陳列された商品や商品保持部と、他方の陳列棚部の商品保持部とが干渉してしまう不都合を解消することができる。これにより、一方の陳列棚部上に商品が陳列されている場合であったも、当該商品を退かすことなく支障なく他方の陳列棚部の開放状態を維持することが可能となる。
【００３５】
請求項６の発明の商品陳列装置によれば、上部に構成され、商品を横に寝かせた状態で陳列するための商品陳列棚と、この商品陳列棚の下側において、商品を起立した状態で収納可能な収納空間を内部に構成する支持枠とから成り、商品陳列棚には、商品が起立した状態で通過可能な商品取出部が形成されているので、ストック商品等は、収納空間に収納して、直ぐに販売等に供される商品を商品陳列棚上に陳列することができる。特に、商品陳列棚上には、商品を横に寝かせた状態で陳列するため、斜め上方から商品、例えば、側面等にラベル等が貼付されている商品の視認性を向上させることができる。これにより、陳列効果の向上を図ることができる。
【００３６】
そして、商品陳列棚上に陳列された商品が取り出された後は、商品陳列棚に形成される商品取出部を介して、この商品陳列棚の下側の収納空間に収納される商品を取り出すことが可能となる。これにより、容易に収納空間から商品を取り出して、商品陳列棚への商品の補充作業を行うことが可能となる。
【００３７】
特に、請求項１１の如く当該商品陳列装置が冷凍ショーケースの貯蔵室内に設けられた場合、直ぐに販売に供せる温度にまで冷却されていない商品を商品陳列装置の収納空間に収納し、直ぐに販売に供せる状態にまで冷却された商品を陳列棚上に陳列することができる。
【００３８】
これにより、適切な販売状態とされている商品を貯蔵室内の取りやすい位置に陳列しておくことによって、同一のショーケースにおいてストック商品を冷却しつつ、好適な販売形態を実現することが可能となる。
【００３９】
また、例えば飲料等の商品を冷却する場合、凍結前のストック商品は、商品陳列装置の収納空間に起立した状態で収納することにより、開封口部分を上部として凍結させることが可能となるため、開封部分が飲料により凍結し、開けにくくなる不都合等を回避することが可能となる。
【００４０】
請求項７の発明によれば、上記請求項１、請求項２又は請求項６の発明において、商品陳列棚には、商品を所定角度で傾斜した状態に保持するための商品保持部が立設されているので、商品陳列棚に横に寝せた状態で陳列される商品を各商品保持部によって適度な傾斜角度にて保持することができ、商品の視認性の向上を図ることができる。また、各商品が傾斜状態で保持されることから商品陳列棚上に陳列可能となる商品数を増大させることができ、より陳列効果の向上を図ることができる。
【００４１】
請求項８の発明によれば、上記請求項４、請求項５又は請求項７の発明において、商品保持部の上縁には、湾曲した凹陥部が形成されているので、例えば商品が側面が円筒形状であったとしても、当該凹陥部において当該商品側面を安定して保持することが可能となるため、安定した商品陳列を実現することができる。
【００４２】
請求項９の発明によれば、上記各発明において、商品陳列棚は、支持枠に着脱自在に取り付けられているので、例えば、商品陳列棚の下側に構成される収納空間内に多くの商品を収納する際、商品陳列棚を全て撤去して収納作業を行うことができる。これにより、商品の納出作業性の向上を図ることができる。
【００４３】
請求項１０の発明によれば、上記各発明において、支持枠内に構成される収納空間の高さは、２０８ｍｍ以上２３０ｍｍ以下の寸法とされているので、一般的な５００ｍｌ入りや３５０ｍｌ入りのペットボトルの飲料の高さ寸法（約２０８ｍｍ）を考慮して、収納空間に係るペットボトル入りの飲料を起立した状態で収納することが可能となる。
【００４４】
また、当該収納空間の高さ寸法を２３０ｍｍ以下に制限することによって、商品陳列棚上に商品を所定角度にて傾斜して陳列した際に、当該商品が貯蔵室内に設けられるロードラインの下側に位置するように構成することが可能となる。これにより、商品陳列棚受けの商品を適切に冷却陳列することができる。
【図面の簡単な説明】
【００４５】
【図１】本発明の商品陳列装置を設置した冷凍ショーケースの内部透視正面図である。
【図２】図１の冷凍ショーケースの内部透視側面図である。
【図３】商品陳列装置の斜視図である。（実施例１）
【図４】商品陳列装置の分解斜視図である。（実施例１）
【図５】商品陳列装置の正面図である。（実施例１）
【図６】第１の陳列棚部を回動させた状態の商品陳列装置の正面図である。（実施例１）
【図７】使用状態を示す商品陳列装置の正面図である。（実施例１）
【図８】図７の商品陳列装置の側面図である。（実施例１）
【図９】使用状態を示す商品陳列装置の平面図である。（実施例１）
【図１０】第１の陳列棚部を回動させた状態の商品陳列装置の正面図（使用状態）である。（実施例１）
【図１１】商品陳列装置の正面図である。（実施例２）
【図１２】第１の陳列棚部を回動させた状態の商品陳列装置の正面図である。（実施例２）
【図１３】使用状態を示す商品陳列装置の正面図である。（実施例２）
【図１４】第１の陳列棚部を回動させた状態の商品陳列装置の正面図（使用状態）である。（実施例２）
【図１５】商品陳列装置の正面図である。（実施例３）
【図１６】第１の陳列棚部を回動させた状態の商品陳列装置の正面図である。（実施例３）
【図１７】第１の陳列棚部を回動させた状態の商品陳列装置の正面図（使用状態）である。（実施例３）
【図１８】使用状態を示す商品陳列装置の正面図である。（実施例４）
【図１９】図１８の商品陳列装置の側面図である。（実施例４）
【図２０】図１８の商品陳列装置の平面図である。（実施例４）
【発明を実施するための形態】
【００４６】
以下、本発明の実施の形態を図面に基づいて説明する。図１は本発明の商品陳列装置２を設置した冷凍ショーケース１の内部透視正面図、図２は図１の冷凍ショーケース１の内部透視側面図をそれぞれ示している。
【００４７】
本実施例において採用される冷凍ショーケース１は、例えば、コンビニエンスストアやスーパーマーケット等の店舗内に据え付けられ、冷凍食品やアイスなどの冷菓や飲料などを収納する所謂平型の冷凍ショーケースである。本実施例では、凍結したペットボトル入りの飲料を当該冷凍ショーケース１に陳列収納される商品（被冷却物品）Ｐとする場合を例に挙げて説明する。
【００４８】
冷凍ショーケース１は、上面に開口を有する断熱箱体２により本体が構成されている。この断熱箱体２は、何れも上面に開放した鋼板製の外箱３及び内箱４と、これら両箱３、４にて囲繞された空間内に現場発泡方式にて充填されたポリウレタン断熱材７とから構成されている。本実施例における断熱箱体２は、後壁２Ａの上端から前方に延びた上壁２Ｂが設けられており、上壁２Ｂの前端から前壁２Ｃの上端に渡って商品取出用の上面開口（開口部）５が形成されている。そして、この断熱箱体２内には、上面開口５にて上方に開放する貯蔵室８が構成されている。
【００４９】
貯蔵室８の上面開口（開口部）５の両側部に位置して図示しない案内レールが形成されており、この案内レールには、透明ガラス或いは樹脂板などから構成された扉６が例えば前後に摺動自在に載置され、当該扉６にて貯蔵室８の上面開口５が開閉自在に閉塞される。扉６は上述したように、透明ガラス或いは樹脂板などによって構成されているため、貯蔵室８内部を上方から当該扉６を介して視認可能とされる。また、本実施例では、当該扉６は、後方に摺動させることで、上面開口５を開放し、当該扉６は、断熱箱体２の上壁２Ｂとトップテーブル１０との間に構成された収納部９に格納される。
【００５０】
そして、内箱４の断熱材７側の周面には周知の冷媒回路を構成する冷却器（冷却配管）１２（図１のみ図示する）が交熱的に取り付けられると共に、外箱３の断熱壁７側の面には同じく冷媒回路を構成する凝縮器（凝縮配管）１３（図１のみ図示する）が交熱的に取り付けられている。
【００５１】
また、断熱箱体２の下部には機械室１６が構成されており、この機械室１６内には上記冷却器１２、凝縮器１３と共に冷却装置の冷媒回路を構成する圧縮機１７（及び補助的な凝縮器）や、この圧縮機１７を空冷するための送風機１８などが設置されている。そして、これら圧縮機１７、凝縮器１３、図示しないドライヤー、減圧装置及び冷却器１２は順次環状に配管接続され、冷却装置の冷媒回路を構成している。
【００５２】
一方、貯蔵室８内には、本発明の商品陳列装置が設置されている。以下に本発明の商品陳列装置の実施例について実施例１乃至実施例４を挙げて詳述する。
【実施例１】
【００５３】
先ず、実施例１としての商品陳列装置２０について、図３乃至図１０を参照して説明する。図３は商品陳列装置２０の斜視図、図４は商品陳列装置２０の分解斜視図、図５は商品陳列装置２０の正面図、図６は第１の陳列棚部を回動させた状態の商品陳列装置２０の正面図、図７は使用状態を示す商品陳列装置２０の正面図、図８は図７の商品陳列装置２０の側面図、図９は使用状態を示す商品陳列装置２０の平面図、図１０は第１の陳列棚部を回動させた状態の商品陳列装置２０の正面図（使用状態）をそれぞれ示している。尚、図１及び図２では、貯蔵室８内に、当該商品陳列装置２０を左右に２台並設している例について図示している。
【００５４】
商品陳列装置２０は、金属製及び／又は硬質合成樹脂から成る線材にて構成された商品陳列棚２１と、当該商品陳列棚２１を支持する支持枠２５とから構成されている。本実施例では、商品陳列棚２１及び支持枠２５のいずれも金属製のワイヤーをスポット溶接して形成した後に例えばポリエチレンにて被覆して構成されている。
【００５５】
支持枠２５は、図４に示すように、矩形状に形成された上部支持枠２６と、当該上部支持枠２６の両側部から下方に延在して設けられる側部支持枠２７、２７と、各側部支持枠２７、２７を前後において、それぞれ連結する補助支持枠２８、２８により構成されている。本実施例において側部支持枠２７は、略コ字状に折曲形成されており、下端は、前後方向に延在する設置される貯蔵室８底面への載置部とされる。
【００５６】
上部支持枠２６は、支持枠２５の上面開口２６Ａを形成し、当該上部支持枠２６上には、当該上面開口２６Ａを開閉自在に閉塞する前記商品陳列棚２１が設けられる。これにより、商品陳列棚２１の下側に位置する支持枠２５の内部には、商品Ｐを収納可能とする収納空間２９が構成される。
【００５７】
本実施例において、当該商品陳列装置２０に収納陳列される商品Ｐは、５００ｍｌ若しくは３５０ｍｌ入りのペットボトルの飲料を採用している。そのため、少なくとも、収納空間２９は、当該ペットボトル入りの飲料（商品Ｐ）が起立した状態で収納可能な寸法に構成されている（図７及び図８参照）。具体的には、５００ｍｌ若しくは３５０ｍｌ入りのペットボトルの飲料は、通常高さが２０８ｍｍ程度に構成されている。従って、当該収納空間２９の高さ寸法、具体的には、側部支持枠２７の下端から上面開口２６Ａを形成する上部支持枠２６の上端縁までの寸法が少なくとも２０８ｍｍ以上となるように構成されているものとする。
【００５８】
そして、上部支持枠２６の対向する前枠部２６Ｂと後枠部２６Ｃの略中央には、それぞれ軸受け３０、３０が対向する位置に設けられている。この軸受け３０は、上方に開口した略Ｕ字状に構成されており、軸受け３０の上端は、少なくとも上部支持枠２６の上端よりも後述する回動軸２４の径寸法よりも上方に位置するように設けられている（図５）。
【００５９】
一方、本実施例において商品陳列装置２０の上部に構成される商品陳列棚２１は、図４に示すように支持枠２５の上面開口２６Ａ上に並設される第１の陳列棚部２２と、第２の陳列棚部２３により構成される。各陳列棚部２２、２３は、枠材２２Ａ、２３Ａと、当該枠材２２Ａ、２３Ａの前後方向に渡って延在して構成される複数の線条２２Ｂ、２３Ｂにより構成される。
【００６０】
そして、各陳列棚部２２、２３を構成する枠材２２Ａ、２３Ａの前後に位置する隣接側の端部それぞれには、各陳列棚部２２、２３を回動自在に連結する回動軸２４を挿入可能とする連結孔２２Ｃ、２３Ｃがそれぞれ形成されている。
【００６１】
本実施例において、第１の陳列棚部２２の枠材２２Ａの第２の陳列棚部２３側端部は、前端部及び後端部のいずれもが、第２の陳列棚部２３の枠材２３Ａよりも外側となるように構成されているものとする。そのため、第１の陳列棚部２２に形成される連結孔２２Ｃ、２２Ｃは、それぞれ第２の陳列棚部２３に形成される連結孔２３Ｃ、２３Ｃの外側に位置して重合された状態で、同一の回動軸２４に挿通される。
【００６２】
また、商品陳列棚２１の前後に延在して、各陳列棚部２２、２３を回動自在に連結する回動軸２４は、その長さ寸法が、少なくとも支持枠２５の上面開口２６Ａの前後寸法よりも長く、本実施例では、貯蔵室８の前後寸法に対し、略きっちりとなる寸法に構成されているものとする。
【００６３】
これにより、第１の陳列棚部２２及び第２の陳列棚部２３が回動軸２４を挟んで同一の回動軸２４に挿通された状態で、商品陳列棚２１が構成され、係る回動軸２４を前記支持枠２５の上面開口２６Ａを構成する上部支持枠２６に設けられた対向する軸受け３０、３０に上方から挿入係合させることにより着脱自在に取り付けられる。
【００６４】
これによって、回動軸２４が支持枠２５の各軸受け３０、３０によって支持され、当該回動軸２４に回動自在に設けられる各陳列棚部２２、２３は、非連結側を持ち上げて回動させることで、それぞれの陳列棚部２２、２３が独立して支持枠２５の上面開口２６Ａを開放させることができる。これにより、当該支持枠２５の上面開口２６Ａは、それぞれの陳列棚部２２、２３によって、開閉自在に閉塞される（例えば図６参照）。
【００６５】
また、各陳列棚部２２の上面には商品Ｐを所定角度を付けて横に寝かせた状態に陳列するための商品保持部３２が所定間隔を存して複数、本実施例では前後方向に所定間隔を存して３つ、立設されている。陳列棚部２３の上面にも同様に商品保持部３３が所定間隔を存して複数立設されている。
【００６６】
ここで、第１の陳列棚部２２に設けられる各商品保持部３２は、回動軸２４を挟んで第２の陳列棚部２３に設けられる各商品保持部３３と相互にずれた位置に設けられている（図８及び図９参照）。そして、それぞれの商品保持部３２、３３には、それぞれ前方に対応する位置に、当該商品保持部３２、３３に傾斜した状態で保持される商品Ｐの下部を支持する下部支持桟（下部支持部）３４、３５がそれぞれ設けられている。
【００６７】
尚、本実施例では、当該商品保持部３２、３３及び下部支持桟３４、３５は、商品Ｐを横に寝かせた状態で、陳列棚部２２、２３の上面に対して約３０°の角度を成す傾斜状態に保持可能とするように設定されている。これにより、貯蔵室８内の商品陳列装置２０の各陳列棚部２２、２３上に各商品保持部３２、３３に支持されて陳列される商品Ｐ側面のラベルを、前記扉６越しに上方から容易に視認可能とされる。尚、当該陳列された状態の商品Ｐの傾斜角度はこれに限定されるものではなく、貯蔵室８の上方から商品陳列棚２１上に陳列される商品Ｐの全体（特に側面ラベル）を効果的に視認可能とすべく陳列できる角度であれば、いずれの傾斜角度であっても良い。
【００６８】
また、本実施例において、採用される冷凍ショーケース１は、貯蔵室８の底面からロードライン（冷却保証ライン）Ｌまでの高さ寸法は、約３８０ｍｍ程度に設定されている。ここで、商品陳列棚２１（各陳列棚部２２、２３）上に、陳列される商品Ｐは、高さ寸法が約２０８ｍｍ程度の５００ｍｌ若しくは３５０ｍｌ入りのペットボトル飲料とする。そのため、当該陳列棚部２２、２３上に約３０°の角度を成すように商品Ｐが陳列されると、傾斜して陳列される商品Ｐの高さ寸法は、３５０ｍｌ入りのペットボトル（底面が５３ｍｍ×５３ｍｍ）の場合、約１４０ｍｍ程度、５００ｍｌ入りのペットボトル（底面直径６８ｍｍ程度）の場合、約１５５ｍｍ程度となる。
【００６９】
上述したように、貯蔵室８の底面から支持枠２５の上端までの高さ寸法を２０８ｍｍ程度とすることにより、商品陳列棚２１自体の寸法を考慮し、商品陳列棚２１上に陳列される商品は、貯蔵室８の底面から３５８ｍｍ（３５０ｍｌ入りのペットボトルの場合）乃至３７３ｍｍ（５００ｍｌ入りのペットボトルの場合）となり、いずれの場合も上記ロードラインＬ以下に商品Ｐを陳列することが可能となる。
【００７０】
従って、貯蔵室８のロードラインＬまでの高さ寸法が、貯蔵室８の底面から３８０ｍｍ程度であれば、図２に示すように、冷凍向けの飲料として販売される３５０ｍｌ入りのペットボトル飲料を商品Ｐとして当該商品陳列装置２０に収納陳列する場合、支持枠２５内に構成される収納空間２９の高さ寸法は、２０８ｍｍ以上２３０ｍｍ以下の寸法とすることで、商品陳列棚２１上に陳列される商品Ｐの冷却に支障を来すことなく、収納空間２９に係るペットボトル入りの飲料を起立した状態で収納することが可能となる。
【００７１】
以上の構成により、本実施例の商品陳列装置２０の使用形態について説明する。本実施例では、凍結された状態のペットボトル入りの飲料を陳列販売することを目的とする。そのため、凍結状態にまで冷却されていない商品Ｐやストック商品Ｐは、商品陳列装置２０の収納空間２９内に起立した状態で収納される（図７乃至図１０）。
【００７２】
この際、商品陳列棚２１を構成する各陳列棚部２２、２３は、図６や図１０に示すようにそれぞれ回動軸２４を中心として非枢支側（非連結側）を持ち上げて、支持枠２５の上面開口２６Ａの一部（この場合半分）を開放させて、当該陳列棚部２２、２３の下方に構成される収納空間２９内に商品Ｐを収納する。
【００７３】
この場合、図１０に示すように、開放される側の陳列棚部とは反対側の陳列棚部上の回動軸２４側の商品Ｐを撤去した状態で、開放動作を行う。これにより、例えば陳列棚部２２に設けられる商品保持部３２は、他方の陳列棚部２３に設けられる商品保持部３３とは、ずれた位置に設けられているため、陳列棚部２２を他方の陳列棚部２３側に回動させると、陳列棚部２３の商品保持部３３を避けた状態で、当該陳列棚部２３側に傾倒される。そのため、それぞれに陳列棚部２２、２３に立設される商品保持部３２、３３同士が開放時に干渉してしまう不都合を解消することができる。これにより、一方の陳列棚部２２の当該商品保持部３２が他方の陳列棚部２３上に当接することによって、支障なく開放状態が維持することが可能となる。
【００７４】
尚、本実施例では、図９に示すように各陳列棚部２２、２３の下方にそれぞれ２列ずつ、回動軸２４下方に一列収納する。
【００７５】
また、一度に多くの商品Ｐを収納空間２９内に収納する場合には、商品陳列棚２１全体を支持枠２５から取り外し、即ち、回動軸２４を軸受け３０、３０から取り外し、各陳列棚部２２、２３ごと撤去することにより、支持枠２５の上面開口２６Ａ全体を開放させ、商品Ｐの納出作業を行っても良い。これにより、商品Ｐの納出作業性の向上を図ることができる。
【００７６】
そして、商品陳列棚２１により支持枠２５の上面開口２６Ａを閉塞した状態、即ち、各陳列棚部２２、２３を閉じた状態で、各陳列棚部２２、２３上に凍結した状態の商品Ｐを横に寝かせた状態、本実施例では、商品Ｐの下部を下部支持桟３４、３５に係止させた状態で、その商品Ｐを対応する商品保持部３２、３３上に保持させて陳列する。本実施例では、図７に示すように、各商品保持部３２、３３のそれぞれには２本ずつの商品Ｐを傾斜した状態で保持することができる。
【００７７】
係る構成により、ストック商品等は、収納空間２９に収納して、直ぐに販売等に供される商品Ｐを商品陳列棚２１上に陳列することができる。商品陳列棚２１上には、商品Ｐを横に寝かせた状態で陳列するため、上方からの商品Ｐ、例えば、側面等にラベル等が貼付されている商品の視認性を向上させることができる。これにより、陳列効果の向上を図ることができる。
【００７８】
特に、本実施例では、商品陳列棚２１を構成する各陳列棚部２２、２３には、商品Ｐを所定角度で傾斜した状態に保持するための商品保持部３２、３３がそれぞれ立設されており、これにより、各陳列棚部２２、２３に横に寝せた状態で陳列される商品Ｐを適度な傾斜角度にて保持することができる。
【００７９】
これにより、より一層、貯蔵室８上方からの商品Ｐの視認性の向上を図ることができる。また、各商品Ｐが傾斜状態で保持されることから各陳列棚部２２、２３上に陳列可能となる商品数を増大させることができ、より陳列効果の向上を図ることができる。
【００８０】
そして、直ぐに販売に供せる程度にまで冷却されていない商品Ｐ（凍結されていない商品Ｐ）は、顧客からは商品Ｐが取り出し難い商品陳列棚２１の下側に構成される収納空間２９内に収納されているため、誤って顧客が凍結前の商品Ｐを取り出してしまい販売に供するには不適切な状態の商品Ｐが販売されてしまう不都合を回避することができる。また、当該収納空間２９は、当然に貯蔵室８内に構成されていることから、適切な温度にまで冷却することができ、凍結後は、ストック商品として収納しておくことが可能となる。
【００８１】
そのため、適切な販売状態とされている商品Ｐを貯蔵室８内の取りやすい位置に陳列しておくことによって、同一のショーケース１においてストック商品を冷却しつつ、好適な販売形態を実現することが可能となる。
【００８２】
特に、本実施例のように商品Ｐが上部に開封口を設けた飲料である場合、凍結前の商品Ｐは、商品陳列装置２０の収納空間２９に起立した状態で収納するため、開封口部分を上部として凍結させることが可能となり、係る開封部分が飲料により凍結し、開けにくくなる不都合等を回避することが可能となる。
【００８３】
そして、商品陳列棚２１上に陳列された商品Ｐが取り出された後は、商品陳列棚２１を構成する第１の陳列棚部２２や第２の陳列棚部２３を回動させることにより支持枠２５の上面開口２６Ａを開放して、収納空間２９に収納された商品Ｐを取り出す。再び、各陳列棚部２２、２３を回動させ上面開口２６Ａを閉塞することにより、当該陳列棚部２２、２３上にストックしていた商品Ｐを陳列することが可能となる。
【００８４】
これにより、別置きの冷凍設備からストック商品を搬送してくることなく、同一の貯蔵室８内の収納空間２９にて適切な販売状態にまで冷却・収納されているストック商品Ｐを直ぐに販売に供せる状態にまで冷却された商品Ｐとして商品陳列棚２１上に陳列することができる。
【００８５】
特に、本実施例では、商品陳列棚２１は、並設された第１及び第２の陳列棚部２２、２３が、回動軸２４によりそれぞれ独立して回動自在に連結することにより構成されているため、それぞれの陳列棚部２２、２３の非連結側を持ち上げて回動させることで、支持枠２５の上面開口２６Ａを開放する際、各陳列棚部２２、２３を当該商品陳列装置の寸法範囲内で開閉することが可能となる。
【００８６】
そのため、貯蔵室８内の内壁面が当該商品陳列装置２０に近接している場合であっても、当該内壁面に干渉されることなく、それぞれの陳列棚部２２、２３を開放することが可能となる。従って、貯蔵室８内の空間を有効に利用することが可能となる。
【００８７】
尚、本実施例では、各陳列棚部２２は、支持枠２５の上面開口２６Ａの略中央部に前後方向に延在して設けられる回動軸２４により、回動自在に取り付けられることで、片方ずつ上面開口２６Ａを開放可能とされているが、これに限定されるものではなく、それぞれの陳列棚部２２を支持枠２５の上面開口２６Ａの側縁に沿って回動軸を設け、これにより、上面開口２６Ａを開放可能としても良い。これにより、他方の陳列棚部２２の開閉状況に影響されることなく、同時に開放させて、上面開口２６Ａ全体を開放させることが可能となり、一度に多くの商品Ｐを納出する作業性を向上させることができる。
【００８８】
いずれの場合であっても、回動軸２４は、その長さ寸法が、上述したように貯蔵室８の前後寸法に対し、略きっちりとなる寸法に構成されていることにより、各陳列棚部２２、２３の回動操作によって軸受け３０、３０から脱落しがたい構成とすることができる。
【００８９】
また、本実施例では、商品陳列棚２１は、回動軸２４により連結される２枚の陳列棚部２２、２３により構成されているが、これに限定されるものではなく、回動軸により連結される３枚以上の陳列棚部により構成しても良く、また、一枚の陳列棚を回動軸によって支持枠２５に開閉自在に設けても良い。
【実施例２】
【００９０】
次に、実施例２としての商品陳列装置４０について、図１１乃至図１４を参照して説明する。図１１は商品陳列装置４０の正面図、図１２は第１の陳列棚部２２を回動させた状態の商品陳列装置４０の正面図、図１３は使用状態を示す商品陳列装置４０の正面図、図１４は第１の陳列棚部２２を回動させた状態の商品陳列装置４０の正面図（使用状態）をそれぞれ示している。尚、各図において、上記図３乃至図１０と同一の符号が付されているものは同様の効果を奏するものであり、説明を省略する。
【００９１】
実施例２における商品陳列装置４０は、上記実施例１における商品陳列装置２０とほぼ同一の構成とされている。即ち、当該実施例２における商品陳列装置４０は、実施例１における商品陳列装置２０の商品陳列棚２１を構成する各陳列棚部２２、２３に設けられる商品保持部３２、３３の構成のみが異なり他の構成は同一である。
【００９２】
即ち、実施例２における商品陳列装置４０の商品陳列棚２１を構成する第１の陳列棚部２２及び第２の陳列棚部２３に設けられる商品保持部４１、４２は、上縁が下方に向けて湾曲した凹陥部４１Ａ及び４２Ａが形成されている。本実施例では、上記実施例１において詳述したように、各商品保持部４１又は４２には、商品Ｐとして、それぞれ２本ずつのペットボトル入りの飲料が傾斜保持される。そのため、商品保持部４１には、所定間隔を存して２つの凹陥部４１Ａ、４１Ａが形成されていると共に、商品保持部４２にも所定間隔を存して２つの凹陥部４２Ａ、４２Ａが形成されている。
【００９３】
これにより、商品陳列棚２１により支持枠２５の上面開口２６Ａを閉塞した状態、即ち、各陳列棚部２２、２３を閉じた状態で、各陳列棚部２２、２３上に凍結した状態の商品Ｐを横に寝かせた状態、実施例２では、商品Ｐの下部を下部支持桟３４、３５に係止させた状態で、その商品Ｐを対応する商品保持部４１、４２の上端に形成された凹陥部４１Ａ、４２Ａ上に保持させて陳列する。実施例２では、図１３に示すように、各商品保持部４１、４２のそれぞれには２本ずつの商品Ｐを傾斜した状態で保持することができる。
【００９４】
従って、当該商品陳列装置４０に陳列される商品Ｐの側面が図１３等に示すように円筒形状であったとしても、当該凹陥部４１Ａ又は４２Ａにおいて係る商品Ｐの側面を安定して保持することが可能となる。従って、安定した商品陳列を実現することが可能となる。
【実施例３】
【００９５】
実施例３としての商品陳列装置５０について、図１５乃至図１７を参照して説明する。図１５は商品陳列装置５０の正面図、図１６は第１の陳列棚部２２を回動させた状態の商品陳列装置５０の正面図、図１７は第１の陳列棚部２２を回動させた状態の商品陳列装置５０の正面図（使用状態）をそれぞれ示している。尚、各図において、上記図３乃至図１０と同一の符号が付されているものは同様の効果を奏するものであり、説明を省略する。
【００９６】
実施例３における商品陳列装置５０は、上記実施例１における商品陳列装置２０とほぼ同一の構成とされている。即ち、当該実施例３における商品陳列装置５０は、実施例１における商品陳列装置２０の商品陳列棚２１を構成する各陳列棚部２２、２３に設けられる商品保持部３２、３３の構成のみが異なり他の構成は同一である。
【００９７】
即ち、実施例３における商品陳列装置５０は、商品陳列棚２１を構成する回動軸２４を挟んでそれぞれ連結される第１の陳列棚部２２及び第２の陳列棚部２３に商品保持部５１、５２が設けられる。係る商品保持部５１、５２は、それぞれ上端が非回動軸側が高く、回動軸２４側が低くなるように傾斜した傾斜辺５１Ａ、５２Ａにより形成されている。
【００９８】
本実施例では、上記実施例１において詳述したように、各商品保持部５１又は５２には、商品Ｐとして、それぞれ２本ずつのペットボトル入りの飲料が傾斜保持される。そのため、例えば、図１７に示すように、回動軸２４側に陳列される商品Ｐ１は、下部を下部支持桟３５に係止させた状態で、その上部側面は、対応する商品保持部５２の傾斜辺５２Ａに沿って、回動軸２４側が低く非回動軸２４側が高くなるように陳列棚部２３に対して傾斜して保持される。この際、商品Ｐ１は、下部よりも上部が高くなるように傾斜して保持されることから、商品Ｐ１の側面が上側を向くように所定角度で傾斜して保持される。
【００９９】
また、この回動軸２４側に陳列される商品Ｐ１の非回動軸２４側に陳列される商品Ｐ２は、下部を下部支持桟３５に係止させた状態で、その上部側面は、対応する商品保持部５２の傾斜辺５２Ａに沿って、回動軸２４側が低く非回動軸２４側が高くなるように陳列棚部２３に対して傾斜して保持される。この際、当該商品Ｐ２の回動軸２４側は、回動軸２４側に陳列される商品Ｐ１よりも高い位置にて上部が保持される。係る商品Ｐ２も、同様に下部よりも上部が高くなるように傾斜して保持されることから、商品Ｐ２の側面が上側を向くように所定角度で傾斜して保持される。
【０１００】
これにより、回動軸２４を挟んで並設され、同一の回動軸２４によりそれぞれ独立して回動自在に連結される各陳列棚部２２、２３の各商品保持部５１、５２は、いずれも回動軸２４側が低く形成されているので、一方の陳列棚部（図１７では陳列棚部２２）を開放させても、当該陳列棚部の商品保持部（ここでは、商品保持部５１）が、他方の陳列棚部（ここでは、陳列棚部２３）の商品保持部（ここでは、商品保持部５２）の回動軸２４側に載置されている商品Ｐと干渉してしまう不都合を解消することができる。
【０１０１】
そのため、一方の陳列棚部上に商品Ｐが陳列されている場合であったも、当該商品Ｐを退かすことなく支障なく他方の陳列棚部の開放し、また、その状態を維持することが可能となる。これにより、より一層、利便性の向上を実現することができる。
【０１０２】
尚、当該実施例３においても、上記実施例２と同様に陳列棚部２２、２３に設けられる各商品保持部５１、５２の上縁（傾斜辺５１Ａ、５２Ａ）に下方に向けて湾曲した凹陥部をそれぞれ形成しても良い。これにより、商品保持部５１、５２に商品Ｐの側面を保持する凹陥部を形成することによって、転動し易い傾斜した商品保持部５１、５２の上端により安定的に保持させることが可能となる。
【実施例４】
【０１０３】
実施例４としての商品陳列装置６０について、図１８乃至図２０を参照して説明する。図１８は使用状態を示す商品陳列装置６０の正面図、図１９は図１８の商品陳列装置６０の側面図、図２０は図１８の商品陳列装置６０の平面図をそれぞれ示している。尚、各図において、上記図３乃至図１０と同一の符号が付されているものは同様の効果を奏するものであり、説明を省略する。
【０１０４】
実施例４における商品陳列装置６０は、上記実施例１における商品陳列装置６０とほぼ同一の構成とされている。即ち、当該実施例４における商品陳列装置６０は、実施例１における商品陳列装置２０の商品陳列棚２１の構成のみが異なり他の構成は同一である。
【０１０５】
即ち、実施例４における商品陳列装置６０は、商品Ｐを横に寝かせた状態で陳列するための商品陳列棚６９と、この商品陳列棚６９の下側において商品Ｐを起立した状態で収納可能とする収納空間２９を内部に構成する支持枠２５とから構成されている。そして、この商品陳列棚６９により支持枠２５の上面開口２６Ａは、開閉自在に閉塞されている。
【０１０６】
そして、この商品陳列棚６９は、第１の陳列棚部６２及び第２の陳列棚部６３とこれらを回動自在に連結すると共に支持枠２５に取り付ける回動軸２４とから構成される。各陳列棚部６２、６３は、図２０に示すようにそれぞれ枠材６２Ａ、６３Ａと、補助枠６２Ｂ、６３Ｂと、下部支持部６４、６５と、上記実施例１と同様に構成される商品保持部３２、３３とから構成される。
【０１０７】
第１の陳列棚部６２と第２の陳列棚部６３は略同一の構成であるため、第１の陳列棚部６２を例に挙げて説明する。陳列棚部６２は、略コ字状に折曲形成された枠材６２Ａの両側部に位置して前後方向に渡って補助枠６２Ｂ、６２Ｂが延在して設けられる。枠材６２Ａのコ字状の開放側に位置する前後端部は、それぞれ上記実施例１と同様に回動軸２４を挿入可能とする図示しない連結孔が形成されている。
【０１０８】
そして、回動軸２４側の補助枠６２Ｂと、対向する枠材６２Ａ側辺に渡って、各陳列棚部６２の上面にて商品Ｐを所定角度を付けて横に寝かせた状態に陳列するための商品保持部３２が所定間隔を存して複数、ここでは前後方向に所定間隔を存して３つ、立設されている。
【０１０９】
それぞれの商品保持部３２の前方に対応する位置には、商品保持部３２に傾斜した状態で保持される商品Ｐの下部を支持する下部支持部６４が陳列棚部２２の両側部に位置する補助枠６２Ｂ、６２Ｂ間に渡って設けられている。本実施例において当該下部支持部６４は、２条（複数条）の下部支持桟６４Ａ、６４Ａが所定の隙間を存して設けられることにより、傾斜して載置される商品Ｐの下隅部を安定して保持可能とされている。
【０１１０】
係る構成により、各商品Ｐの下部は、２条の下部支持桟６２Ｃ、６２Ｃにて保持されると共に、その商品Ｐ上部側面は、対応する商品保持部３２上に保持される。これにより、商品Ｐは、商品側面が上方に向いた状態となるように、所定の傾斜角度にて横に寝かせた状態で陳列される。そのため、斜め上方から商品Ｐ、例えば、側面等にラベル等が貼付されている商品Ｐの視認性を向上させることができる。これにより、陳列効果の向上を図ることができる。
【０１１１】
また、当該実施例における陳列棚部６２では、補助枠６２Ｂ、６２Ｂが枠材６２Ａの両側部に位置して設けられるため、係る補助枠６２Ｂ、６２Ｂ間は、少なくとも商品Ｐが起立した状態の幅寸法よりも大なる所定の間隔を存する。また、各商品保持部３２と各下部支持部６４間は、同様に少なくとも商品Ｐが起立した状態の幅寸法よりも大なる所定の間隔を存する。そのため、枠材６２Ａ内には、当該補助枠６２Ｂ、６２Ｂと商品保持部３２、下部支持部６４にて囲繞される複数の広口の商品取出部（商品取出口）６６が形成される。各商品取出部６６は、当該陳列棚部６２の下側に形成される収納空間２９内に起立した状態で収納される商品Ｐを通過可能に形成される。
【０１１２】
尚、他方の陳列棚部６３も当該陳列棚部６２と略同一に構成されており、枠材６３Ａの両側部に位置する補助枠６３Ｂ、６３Ｂ間と、各商品保持部３３と各下部支持部６５（当該陳列棚部６３では２条（複数条）の下部支持桟６５Ａ、６５Ａにより構成される）とにより囲繞される複数の広口の商品取出部６７が形成される。各商品取出部６７は、当該陳列棚部６３の下側に形成される収納空間２９内に起立した状態で収納される商品Ｐを通過可能に形成される。
【０１１３】
当該実施例４における各陳列棚部６２、６３は、上記実施例１と同様に各商品保持部３２、３３は、相互にずれた位置に設けられているものとする。
【０１１４】
係る構成により、商品陳列棚６９を構成する各陳列棚部６２、６３には、商品Ｐが起立した状態で通過可能な商品取出部６６、６７が形成されているので、商品陳列棚６９の各陳列棚部６２、６３を回動させて支持枠２５の上面開口２６Ａを開放させることなくこの商品陳列棚６９の下側の収納空間２９に収納される商品Ｐを商品取出部６６、６７を介して取り出すことが可能となる。
【０１１５】
これにより、容易に収納空間２９から商品Ｐを取り出して、商品陳列棚６９への商品Ｐの補充作業を行うことが可能となる。同様に、収納空間２９内に商品Ｐを補充する際にも、商品陳列棚６９を構成する各陳列棚部６２、６３によって上面開口２６Ａを開放させることなく、複数構成される商品取出部６６、６７を介して収納空間２９の任意の箇所に商品Ｐを補充することが可能となる。従って、商品納出作業の利便性をより一層向上させることが可能となる。
【０１１６】
尚、実施例４では、商品陳列棚６９を２つの陳列棚部６２、６３により構成しているが、これ以上であってもよく、また、単一の商品陳列棚により構成しても良い。上記いずれの実施例においても、商品陳列棚やこれを構成する陳列棚部は、支持枠２５の上面開口２６Ａを開閉自在に閉塞すると共に、当該支持枠２５に対して着脱自在に構成されているが、当該実施例４の如く商品陳列棚に商品取出部を設けた商品陳列装置では、支持枠２５の上面に、当該商品陳列棚を固定しても良い。
【符号の説明】
【０１１７】
Ｐ、Ｐ１、Ｐ２  商品（被冷却物品）
１    冷凍ショーケース
２    断熱箱体
５    上面開口（開口部）
６    扉
８    貯蔵室
１２    冷却器
１６    機械室
２０、４０、５０、６０  商品陳列装置
２１、６９  商品陳列棚
２２、２３、６２、６３  陳列棚部
２２Ａ、２３Ａ、６２Ａ、６３Ａ  枠材
２２Ｂ、２３Ｂ  線条
２２Ｃ、２３Ｃ  連結孔
２４    回動軸
２５    支持枠
２６    上部支持枠
２６Ａ  上面開口
２７    側部支持枠
２８    補助支持枠
２９    収納空間
３０    軸受け
３２、３３、４１、４２、５１、５２  商品保持部
３４、３５  下部支持桟（下部支持部）
４１Ａ、４２Ａ  凹陥部
５１Ａ、５２Ａ  傾斜辺
６２Ｂ、６３Ｂ  補助枠
６４、６５    下部支持部
６４Ａ、６５Ｂ  下部支持桟
６６  ６７  商品取出部（商品取出口）
【図１】
2010266152.tif 000003
【図２】
2010266152.tif 000004
【図３】
2010266152.tif 000005
【図４】
2010266152.tif 000006
【図５】
2010266152.tif 000007
【図６】
2010266152.tif 000008
【図７】
2010266152.tif 000009
【図８】
2010266152.tif 000010
【図９】
2010266152.tif 000011
【図１０】
2010266152.tif 000012
【図１１】
2010266152.tif 000013
【図１２】
2010266152.tif 000014
【図１３】
2010266152.tif 000015
【図１４】
2010266152.tif 000016
【図１５】
2010266152.tif 000017
【図１６】
2010266152.tif 000018
【図１７】
2010266152.tif 000019
【図１８】
2010266152.tif 000020
【図１９】
2010266152.tif 000021
【図２０】
2010266152.tif 000022